(57)【特許請求の範囲】
【請求項１】
ハウジングに軸受を介して回転自在に支持され、駆動源により回転される回転軸の少なくとも一端に羽根車が設けられるターボ圧縮機において、
前記回転軸には、その軸内部にターボ冷凍機の冷凍サイクルから抽出される冷媒を冷却媒体とし、前記回転軸の少なくとも前記軸受による支持部近辺を冷却する回転軸冷却機構が設けられることを特徴とするターボ圧縮機。
【請求項２】
前記回転軸冷却機構は、前記回転軸の軸中心に軸線方向に沿って穿設され、前記冷媒が流通される冷媒通路を備えることを特徴とする請求項１に記載のターボ圧縮機。
【請求項３】
前記冷媒通路は、前記回転軸の一端側から他端側に貫通して設けられ、前記冷媒通路内で蒸発された冷媒が、前記回転軸の羽根車側端部から圧縮機の冷媒吸い込み流路内に流出されることを特徴とする請求項２に記載のターボ圧縮機。
【請求項４】
前記冷媒通路は、前記回転軸の一端側から他端側に向けて穿設されるとともに、前記羽根車が設けられる位置の手前で前記ハウジング内の排油空間に連通され、前記冷媒通路内で蒸発された冷媒が、前記排油空間に流出された後、均圧通路を経て圧縮機の冷媒吸い込み流路に導かれることを特徴とする請求項２に記載のターボ圧縮機。
【請求項５】
前記冷媒通路の入口部には、冷凍サイクルから導かれた冷媒を低温低圧冷媒に減圧する固定絞りが設けられ、該固定絞りにより減圧された冷媒が前記冷媒通路に導入されることを特徴とする請求項２ないし４のいずれかに記載のターボ圧縮機。
【請求項６】
前記回転軸冷却機構は、前記冷凍サイクルから抽出される冷媒を前記回転軸の冷媒通路に導く冷媒導入系路を備え、該冷媒導入系路には、冷媒流量を調整する流量調整弁が設けられることを特徴とする請求項２ないし５のいずれかに記載のターボ圧縮機。
【請求項７】
前記流量制御弁は、前記回転軸を冷却して蒸発した冷媒が前記圧縮機の冷媒吸い込み流路に戻され、前記圧縮機への吸い込み冷媒と合流する付近における冷媒温度が圧力飽和温度以上となるように制御されることを特徴とする請求項６に記載のターボ圧縮機。
【請求項８】
前記回転軸冷却機構は、前記回転軸の前記冷媒通路入口部に取り付けられ、前記回転軸と共に回転する前記固定絞りを有するノズルと、該ノズルの外周面をシール面とし、前記冷媒導入系路との間を非接触シールするシール部材とを有することを特徴とする請求項６または７に記載のターボ圧縮機。
【請求項９】
前記軸受は、軸受箱を介して前記ハウジングに設置され、前記軸受箱には、前記軸受を冷却する軸受箱冷却機構が設けられることを特徴とする請求項１ないし８のいずれかに記載のターボ圧縮機。
【請求項１０】
前記軸受箱冷却機構は、ターボ冷凍機の冷凍サイクルから抽出される冷媒または潤滑用の冷却油を冷却媒体とすることを特徴とする請求項９に記載のターボ圧縮機。
【請求項１１】
前記冷媒は、前記冷凍サイクルを構成する凝縮器の液溜めから抽出されることを特徴とする請求項１ないし１０のいずれかに記載のターボ圧縮機。
【請求項１２】
前記冷媒は、前記冷凍サイクルを構成する液冷媒冷却用サブクーラの出口から抽出されることを特徴とする請求項１ないし１０のいずれかに記載のターボ圧縮機。
【請求項１３】
前記冷媒は、前記冷凍サイクルを構成するエコノマイザの出口から抽出されることを特徴とする請求項１ないし１０のいずれかに記載のターボ圧縮機。
【請求項１４】
前記冷媒は、前記冷凍サイクルを構成する蒸発器の冷媒液溜めからポンプまたは高圧冷媒ガスを駆動源とするエダクタを介して抽出されることを特徴とする請求項１ないし１０のいずれかに記載のターボ圧縮機。
【請求項１５】
冷凍サイクルを構成するターボ圧縮機として、請求項１ないし１４のいずれかに記載されたターボ圧縮機を備えたことを特徴とするターボ冷凍機。
【発明の詳細な説明】
【技術分野】
【０００１】
本発明は、羽根車が設けられる回転軸を支持する軸受の冷却機構を改善し、さらなる高速化、小型化を可能としたターボ圧縮機およびそれを用いたターボ冷凍機に関するものである。
【背景技術】
【０００２】
ターボ冷凍機に適用されるターボ圧縮機では、高性能化はもちろんのこと、圧縮機自体を小型化することによる低コスト化のニーズは依然として高い。ターボ圧縮機を小型化するには、羽根車をより高速回転させる必要があり、そのためには、羽根車が設けられる回転軸を支持する軸受の改善が不可欠である。ターボ圧縮機では、回転軸を支持する軸受として、油膜により軸を支え回転支持できる滑り軸受や、玉あるいはコロの転がりを利用する転がり軸受が用いられるが、回転が高速化されるにつれ、軸受での機械損失が増大するため、冷凍機の性能を低下させてしまうという問題がある。
【０００３】
一般に、回転軸系においては、高荷重の場合は滑り軸受、中低荷重の場合は転がり軸受が用いられるが、軸の支持剛性や荷重条件等を許容範囲内にできるのであれば、滑り軸受よりも機械損失の小さい転がり軸受を用いる方が望ましく、ターボ圧縮機でも、高速化のため、羽根車が設けられる回転軸の軸受として、機械損失のより小さい転がり軸受が使用されるようになっている（例えば、特許文献１参照）。
【０００４】
また、高速回転や高荷重条件下では、回転軸を支持する軸受の冷却および潤滑は不可避となる。軸受に給油される潤滑油の機能は、軸受の玉またはコロと内輪および外輪との間に油膜を形成、確保する潤滑機能と、発生する熱を油により除去する冷却機能との２つである。上記特許文献１には、転がり軸受が設けられる軸受箱内に潤滑油または液冷媒を供給し、転がり軸受を油または冷媒によって潤滑および冷却するようにしたものが示されている。また、特許文献２には、冷凍サイクルの凝縮器出口から液冷媒を抽出してターボ圧縮機に導入し、軸受および駆動モータを冷却するようにしたものが示されている。
【０００５】
【特許文献１】特開２０００−２９１５８７号公報
【特許文献２】特開２００６−１９４５７９号公報
【発明の開示】
【発明が解決しようとする課題】
【０００６】
羽根車を回転軸を介して高速回転するターボ圧縮機では、軸受の冷却および潤滑が高速化のポイントであり、軸受に供給する潤滑油をノズル孔から軸受にジェット給油するジェット潤滑やミスト潤滑等様々な工夫がなされている。一方、軸受の機械損失には、玉やコロが転がることによる損失と、潤滑油が撹拌されることによる損失とがあり、撹拌損失を低減するには、ジェット潤滑やミスト潤滑等の適用に際して、給油量を最小量に抑える必要がある。しかし、単に油量を減少すると、発生する熱を潤滑油により十分に除去し切れなくなるため、軸受温度が上昇し、油の局所的な粘度低下に伴う油膜切れが生じ、軸受において玉やコロと内輪または外輪とのメタルタッチの原因となり、フレーキング等の損傷に至る場合がある。
【０００７】
軸受に給油される潤滑油の上記２機能において、油膜を確保するための最小潤滑油量Ａと、冷却のための最小潤滑油量Ｂとの関係は、一般にＡ＜＜Ｂであるため、冷却用の油量を抑えて撹拌損失を低減するには、別の手段で軸受を冷却する必要が生じる。上記特許文献１，２には、冷凍サイクルから抽出した冷媒を用いて軸受を冷却および潤滑することが開示されている。しかし、これらは、冷媒により軸受を冷却および潤滑することを示しているにすぎず、軸受における冷却媒体の撹拌損失を含む機械損失を低減するための構成を開示するものではない。従って、このような冷却および潤滑構成では、軸受の機械損失を十分に低減することはできず、ターボ圧縮機の更なる高速化、小型化は困難である。
【０００８】
本発明は、このような事情に鑑みてなされたものであって、羽根車が設けられる回転軸を支持する軸受の冷却機構を改善し、軸受の機械損失を低減することによって、更なる高速化、小型化を図ることができるターボ圧縮機およびターボ冷凍機を提供することを目的とする。
【課題を解決するための手段】
【０００９】
上記課題を解決するために、本発明のターボ圧縮機およびターボ冷凍機は、以下の手段を採用する。
すなわち、本発明にかかるターボ圧縮機は、ハウジングに軸受を介して回転自在に支持され、駆動源により回転される回転軸の少なくとも一端に羽根車が設けられるターボ圧縮機において、前記回転軸には、その軸内部にターボ冷凍機の冷凍サイクルから抽出される冷媒を冷却媒体とし、前記回転軸の少なくとも前記軸受による支持部近辺を冷却する回転軸冷却機構が設けられることを特徴とする。
【００１０】
ターボ圧縮機においては、高性能化のほかに、高速化、小型化のニーズが高い。ターボ圧縮機を高速化、小型化するには、羽根車を駆動する回転軸系における機械損失の低減が１つの課題となる。そこで、回転軸を支持する軸受に機械損失の比較的少ない転がり軸受が使用されている。しかし、機械損失の低減は、軸受を転がり軸受に変更するだけでは不十分であり、軸受に供給される潤滑油を撹拌することにより発生する撹拌損失も無視できない。潤滑油の撹拌損失を低減するには、給油量を少なくすればよいが、単に給油量を減少すると、高速回転時に発生する熱を除去できなくなり、軸受温度が上昇するため、潤滑油の粘度低下により油膜切れが生じ、潤滑不良によって損傷に至るおそれがある。
本発明によれば、冷凍サイクルから抽出される冷媒を冷却媒体とする回転軸冷却機構により、軸内部から冷却される回転軸を介して軸受を内輪側から冷却することができる。このように、軸受を回転軸側から冷却することにより、軸受に多量の潤滑油を給油して熱を取り去る必要がなくなり、軸受に対する給油量を潤滑に必要な最小油量に抑えることができる。これによって、軸受における潤滑油の撹拌損失を低減することができる。また、軸受を内輪側から冷却するため、軸受内部で最も温度が高くなる玉やコロの温度に対して内輪を冷却しその温度を低く保つことが可能となり、軸受内部の隙間を理想的に保つことができる。これにより、軸受の熱膨張を抑制し、玉やコロにかかる荷重を低減して機械損失を低減することができる。従って、ターボ圧縮機の更なる高速化、小型化を図り、コスト低減と小型高性能化を実現することができる。
【００１１】
さらに、本発明のターボ圧縮機は、上記のターボ圧縮機において、前記回転軸冷却機構は、前記回転軸の軸中心に軸線方向に沿って穿設され、前記冷媒が流通される冷媒通路を備えることを特徴とする。
【００１２】
本発明によれば、回転軸の軸中心に軸線方向に沿って穿設される冷媒通路に冷媒を流通させ、軸側から吸熱して冷媒を蒸発させることにより回転軸を冷却し、この回転軸を介して軸受を内輪側から冷却することができる。従って、回転軸冷却機構により冷媒の相変化を利用して回転軸ならびに軸受を効率よく冷却し、軸受が熱膨張することにより発生する荷重による機械損失を低減することができると同時に、軸受に対する給油量を潤滑に必要な最小の潤滑油量に抑えることができる。
【００１３】
さらに、本発明のターボ圧縮機は、上記のターボ圧縮機において、前記冷媒通路は、前記回転軸の一端側から他端側に貫通して設けられ、前記冷媒通路内で蒸発された冷媒が、前記回転軸の羽根車側端部から圧縮機の冷媒吸い込み流路内に流出されることを特徴とする。
【００１４】
本発明によれば、冷媒通路が回転軸の一端側から他端側に貫通して設けられるので、冷凍サイクルから回転軸冷却機構に導かれ、冷媒通路内を流通する間に蒸発して回転軸を冷却した冷媒を、そのまま回転軸の羽根車側端部から圧縮機の冷媒吸い込み流路に流出させることができる。従って、回転軸冷却機構およびその冷媒流通経路ならびに回転軸を簡素に構成することができる。
【００１５】
さらに、本発明のターボ圧縮機は、上記のターボ圧縮機において、前記冷媒通路は、前記回転軸の一端側から他端側に向けて穿設されるとともに、前記羽根車が設けられる位置の手前で前記ハウジング内の排油空間に連通され、前記冷媒通路内で蒸発された冷媒が、前記排油空間に流出された後、均圧通路を経て圧縮機の冷媒吸い込み流路に導かれることを特徴とする。
【００１６】
本発明によれば、冷媒通路が回転軸の一端側から他端側に向けて穿設されるとともに、羽根車が設けられる位置の手前でハウジング内の排油空間に連通されるので、冷凍サイクルから回転軸冷却機構に導かれ、冷媒通路内を流通する間に蒸発して回転軸を冷却した冷媒を、ハウジング内の排油空間に流出された後、均圧通路を経て圧縮機の冷媒吸い込み流路に導くことができる。従って、冷媒通路内で冷媒が蒸発し切れなかった場合でもその液分を排油空間内で分離し、ガス冷媒のみを圧縮機の冷媒吸い込み流路に導くことができるため、液圧縮を確実に防止することができる。
【００１７】
さらに、本発明のターボ圧縮機は、上述のいずれかのターボ圧縮機において、前記冷媒通路の入口部には、冷凍サイクルから導かれた冷媒を低温低圧冷媒に減圧する固定絞りが設けられ、該固定絞りにより減圧された冷媒が前記冷媒通路に導入されることを特徴とする。
【００１８】
本発明によれば、冷媒通路の入口部に固定絞りが設けられ、冷凍サイクルから導かれた冷媒が固定絞りによって確実に低温低圧冷媒に減圧されて冷媒通路に導入される。このため、冷媒通路に導入された冷媒は直ちに軸側から吸熱して蒸発し、回転軸を冷却する。従って、冷媒の蒸発潜熱により回転軸を効率よく冷却し、その回転軸を介して軸受を内輪側から効率よく冷却することができる。
【００１９】
さらに、本発明のターボ圧縮機は、上述のいずれかのターボ圧縮機において、前記回転軸冷却機構は、前記冷凍サイクルから抽出される冷媒を前記回転軸の冷媒通路に導く冷媒導入系路を備え、該冷媒導入系路には、冷媒流量を調整する流量調整弁が設けられることを特徴とする。
【００２０】
本発明によれば、冷凍サイクルから抽出される冷媒を回転軸の冷媒通路に導く冷媒導入系路に冷媒流量を調整する流量調整弁が設けられるので、回転軸冷却機構に導入される冷媒流量を流量調整弁により運転状況に応じて適正に調整することができる。従って、常に適正量の冷媒を回転軸の冷媒通路に導入することができ、安定した冷却効果を得ることができる。
【００２１】
さらに、本発明のターボ圧縮機は、上記のターボ圧縮機において、前記流量制御弁は、前記回転軸を冷却して蒸発した冷媒が前記圧縮機の冷媒吸い込み流路に戻され、前記圧縮機への吸い込み冷媒と合流する付近における冷媒温度が圧力飽和温度以上となるように制御されることを特徴とする。
【００２２】
本発明によれば、冷媒導入系路に設けられる流量制御弁が、回転軸の冷却に供された冷媒が圧縮機の冷媒吸い込み流路に戻され、吸い込み冷媒と合流する付近の冷媒温度が圧力飽和温度以上となるように制御されるので、回転軸冷却機構に導入される冷媒流量を液戻りが発生することのない適正量に調整することができる。従って、液圧縮を確実に防止することができる最大の回転軸冷却機構の冷却能力を可能とし、効率よく回転軸および軸受を冷却することができる。
【００２３】
さらに、本発明のターボ圧縮機は、上述のいずれかのターボ圧縮機において、前記回転軸冷却機構は、前記回転軸の前記冷媒通路入口部に取り付けられ、前記回転軸と共に回転する前記固定絞りを有するノズルと、該ノズルの外周面をシール面とし、前記冷媒導入系路との間を非接触シールするシール部材とを有することを特徴とする。
【００２４】
本発明によれば、回転軸の冷媒通路入口部分に、回転軸と共に回転する固定絞りを有するノズルが取り付けられ、その外周面をシール面とし、冷媒導入系路との間を非接触シールするシール部材が設けられるので、回転軸に対して余計な抵抗を加えることなく、静止側の冷媒導入系路と回転する冷媒通路との間をシールすることができる。従って、動力損失をもたらすことなく、冷媒を確実に回転軸の冷媒通路内に導くことができる。
【００２５】
さらに、本発明のターボ圧縮機は、上述のいずれかのターボ圧縮機において、前記軸受は、軸受箱を介して前記ハウジングに設置され、前記軸受箱には、前記軸受を冷却する軸受箱冷却機構が設けられることを特徴とする。
【００２６】
本発明によれば、回転軸を支持する軸受が、軸受箱を介してハウジングに設置され、この軸受箱に軸受を冷却する軸受箱冷却機構が設けられるので、回転軸を支持する軸受を軸受箱冷却機構によって外輪側からも冷却することができる。これにより、軸受の冷却効果を一段と高め、軸受への給油量を最小潤滑油量とすることができるとともに、軸受における内外輪温度差を可及的に小さくすることができる。従って、軸受の機械損失を更に低減することができる。
【００２７】
さらに、本発明のターボ圧縮機は、上記のターボ圧縮機において、前記軸受箱冷却機構は、ターボ冷凍機の冷凍サイクルから抽出される冷媒または潤滑用の冷却油を冷却媒体とすることを特徴とする。
【００２８】
本発明によれば、軸受箱冷却機構によりターボ冷凍機の冷凍サイクルから抽出される冷媒または潤滑に用いる冷却油を冷却媒体として軸受箱を冷却し、この軸受箱を介して軸受を外輪側からも効率よく冷却することができる。従って、軸受の冷却効果を一段と高め、軸受への給油量を最小潤滑油量とすることができるとともに、軸受における内外輪温度差を可及的に小さくすることができる。
【００２９】
さらに、本発明のターボ圧縮機は、上述のいずれかのターボ圧縮機において、前記冷媒は、前記冷凍サイクルを構成する凝縮器の液溜めから抽出されることを特徴とする。
【００３０】
本発明によれば、冷却媒体に用いる冷媒を、冷凍サイクルを構成する凝縮器の液溜めから抽出するので、冷凍サイクル中の高圧である凝縮圧力を利用して、凝縮器の液溜めから液冷媒を直接冷却機構に導入することができる。これによって、ターボ冷凍機自身の系内から凝縮された液冷媒を取り出し、軸受の冷却に有効に活用することができる。
【００３１】
さらに、本発明のターボ圧縮機は、上述のいずれかのターボ圧縮機において、前記冷媒は、前記冷凍サイクルを構成する液冷媒冷却用サブクーラの出口から抽出されることを特徴とする。
【００３２】
本発明によれば、冷却媒体に用いる冷媒を、冷凍サイクルを構成する液冷媒冷却用サブクーラの出口から抽出するので、冷凍サイクル中の高圧である凝縮圧力に相当するサブクーラ出口圧力を利用して、サブクーラの出口から過冷却された液冷媒を直接冷却機構に導入することができる。これによって、ターボ冷凍機自身の系内から過冷却された液冷媒を取り出し、軸受の冷却に有効に活用することができる。
【００３３】
さらに、本発明のターボ圧縮機は、上述のいずれかのターボ圧縮機において、前記冷媒は、前記冷凍サイクルを構成するエコノマイザの出口から抽出されることを特徴とする。
【００３４】
本発明によれば、冷却媒体に用いる冷媒を、冷凍サイクルを構成するエコノマイザの出口から抽出するので、冷凍サイクル中の高圧である凝縮圧力または高圧と低圧との間の中間圧力を利用して、エコノマイザの出口から過冷却された液冷媒を直接冷却機構に導入することができる。これによって、ターボ冷凍機自身の系内から過冷却された液冷媒を取り出し、軸受の冷却に有効に活用することができる。なお、エコノマイザサイクルには、中間冷却器方式と、気液分離器方式とがあるが、特に中間冷却器方式は、自己膨張により冷媒の組成が変化する混合冷媒を使用するターボ冷凍機に用いて好適である。
【００３５】
さらに、本発明のターボ圧縮機は、上述のいずれかのターボ圧縮機において、前記冷媒は、前記冷凍サイクルを構成する蒸発器の冷媒液溜めからポンプまたは高圧冷媒ガスを駆動源とするエダクタを介して抽出されることを特徴とする。
【００３６】
本発明によれば、冷却媒体に用いる冷媒を、冷凍サイクルを構成する蒸発器の冷媒液溜めからポンプまたは高圧冷媒ガスを駆動源とするエダクタを介して抽出するので、蒸発器の冷媒液溜めから低温低圧の液冷媒をポンプまたはエダクタを介して圧送し、冷却機構に導入することができる。これによって、ターボ冷凍機自身の系内から低温低圧の液冷媒を取り出し、軸受の冷却に有効に活用することができる。
【００３７】
さらに、本発明にかかるターボ冷凍機は、冷凍サイクルを構成するターボ圧縮機として、上述のいずれかのターボ圧縮機を備えたことを特徴とするターボ冷凍機。
【００３８】
本発明によれば、ターボ圧縮機として上記により高速化、小型化された高性能のターボ圧縮機を用いて冷凍サイクルを構成することができる。従って、小型高性能でかつ低コストのターボ冷凍機を提供することができる。
【発明の効果】
【００３９】
本発明のターボ圧縮機によると、回転軸冷却機構により冷却される回転軸を介して軸受を内輪側から冷却することができるため、軸受に多量の潤滑油を給油して熱を取り去る必要がなくなり、軸受に対する給油量を潤滑に必要な最小油量に抑えることができる。これにより、軸受における潤滑油の撹拌損失を低減することができる。また、軸受を内輪側から冷却するため、軸受内部で最も温度が高くなる玉やコロの温度に対して内輪を冷却しその温度を低く保つことが可能となり、軸受内部の隙間を理想的に保つことができる。これにより、軸受の熱膨張を抑制し、玉やコロにかかる荷重を低減して機械損失を低減することができる。従って、ターボ圧縮機の更なる高速化、小型化を図り、コスト低減と小型高性能化を実現することができる。
また、本発明のターボ冷凍機によると、高速化、小型化された高性能のターボ圧縮機を用いて冷凍サイクルを構成することができるため、小型高性能でかつ低コストのターボ冷凍機を提供することができる。
【発明を実施するための最良の形態】
【００４０】
以下に、本発明にかかる実施形態について、図面を参照して説明する。
［第１実施形態］
以下、本発明の第１実施形態について、図１ないし図８を用いて説明する。
図１には、本発明の第１実施形態にかかるターボ圧縮機１の縦断面図が示されている。ターボ圧縮機１は、圧縮機側ハウジング２Ａとモータ側ハウジング２Ｂとを一体に結合して構成されるハウジング２を備えている。モータ側ハウジング２Ｂには、図示省略のインバータ装置を介して可変速駆動される電動モータ３が組み込まれる。この電動モータ３のモータ軸３Ａの一端は、モータ側ハウジング２Ｂから圧縮機側ハウジング２Ａに突出されている。
【００４１】
圧縮機側ハウジング２Ａ内には、可変ガイドベーン４を備えた冷媒ガスの吸い込み口５が形成され、この吸い込み口５に続く下流側流路には、第１段圧縮ステージ６および第２段圧縮ステージ７が順次設けられる。第１段圧縮ステージ６には、ディフューザ部８、リターンベント９およびガイドベーン１０が設けられ、第２段圧縮ステージ７には、ディフューザ部１１およびスクロール室１２が設けられる。このスクロール室１２から図示省略の吐出口を経て圧縮された冷媒ガスが外部に吐き出されるように構成される。
【００４２】
また、圧縮機側ハウジング２Ａ内には、回転軸１３が回転自在に設置され、この回転軸１３の一端側には、第１段圧縮ステージ６用の第１段羽根車１４と、第２段圧縮ステージ７用の第２段羽根車１５とが設けられる。回転軸１３は、ほぼ中央部が軸受箱１６を介して圧縮機側ハウジング２Ａに設置される複数のアンギュラ玉軸受からなる転がり軸受１７により支持され、他端部が軸受箱１８を介してモータ側ハウジング２Ｂに設置される複数のアンギュラ玉軸受からなる転がり軸受１９により支持される。
【００４３】
上記転がり軸受１７，１９によって支持される回転軸１３の中間部位には、小径の歯車２０が設けられる。この歯車２０は、モータ軸３Ａの一端に設けられる大径の歯車２１と噛み合わされ、これらの歯車２０，２１によって、増速機構２２が構成される。
上記軸受箱１６，１８には、それぞれ転がり軸受１７，１９に対して潤滑油を給油する潤滑油給油ライン２３Ａ，２３Ｂが接続されており、図示省略の給油機構から回転軸１３の回転数に比例して供給される潤滑に必要な最小限量の潤滑油を、軸受箱１６，１８を介して図示省略のノズル孔から転がり軸受１７，１９に給油する潤滑油給油系路を構成している。各転がり軸受１７，１９の潤滑に供された潤滑油は、各軸受を潤滑した後、ハウジング２内の排油空間２Ｃに流出され、排油孔２４を介して図示省略の給油機構へと循環される。
【００４４】
また、軸受箱１６，１８の外周部には、油溝２５，２６が設けられ、この油溝２５，２６に対して冷却油を給油する冷却油給油ライン２７Ａ，２７Ｂが接続されており、図示省略の給油機構からオイルクーラを経て冷却油が供給され、各軸受箱１６，１８を介して各転がり軸受１７，１９の外輪側を冷却する軸受箱冷却機構を構成している。冷却油は、排油孔２８を介して図示省略の給油機構へと循環される。
さらに、回転軸１３の軸中心には、その軸線に沿って一端から他端に貫通される貫通孔（冷媒通路）２９（図２参照）が設けられ、この貫通孔２９に冷媒を流通させることにより、回転軸１３を冷却する回転軸冷却機構３０が構成される。
【００４５】
回転軸冷却機構３０は、ターボ圧縮機１を含んで構成されるターボ冷凍機４０（図４参照）の冷凍サイクルの適所（具体的には、後述する冷凍サイクルを構成する凝縮器内の液溜めから蒸発器内の液溜めに至る迄の間の冷媒配管系または構成機器）から高圧液冷媒または低圧液冷媒の一部を抽出し、ハウジング２内を経て回転軸１３のモータ側端部に導く冷媒導入系路３１と、この冷媒導入系路３１に設けられる流量調整弁３２と、回転軸１３の貫通孔２９に接続され、冷媒導入系路３１を経て導かれる冷媒をオリフィス３３により減圧して貫通孔２９内に流出するノズル３４と、回転軸１３と共に回転するノズル３４と冷媒導入系路３１との間の回転部分を、ノズル３４の外周面をシール面とし、非接触でシールするラビリンスシールを構成するシール部材３５と、貫通孔２９内を流通した冷媒を回転軸１３の羽根車側端部から吸い込み口５内に周方向に均一に流出させる流出孔３６とから構成される。
【００４６】
上記流量調整弁３２は、図３（Ａ）に示されるように、冷媒吸い込み口５に設けられる温度センサ（Ｔｓｕｃ）３７により検出される冷媒吸い込み口５の流出孔３６付近における冷媒温度が圧力飽和温度以上となるように冷媒流量を制御する。
また、回転軸１３の端部から冷媒ガスを流出させる流出孔３６は、図３に示されるように、回転軸１３の端部が嵌合される固定カバー３８との間の隙間から、周方向に等間隔に設けられたスリット３９を介して冷媒ガスを周方向に均一に流出させることができるように構成される。
【００４７】
ターボ冷凍機４０の冷凍サイクルは、図４に示されるように、冷媒を圧縮するターボ圧縮機１と、冷媒を冷却して凝縮させる凝縮器４１と、高圧冷媒を中間圧の減圧する第１減圧弁４２と、冷媒に過冷却を与えるエコノマイザ４３と、冷媒を低圧状態に減圧する第２減圧弁４４と、低圧冷媒を蒸発させる蒸発器４５とを公知の如く接続することにより構成される。上記回転軸冷却機構３０の冷却媒体とされる冷媒は、このターボ冷凍機４０の冷凍サイクルを構成する凝縮器４１内の液溜めから蒸発器４５内の液溜めに至るまでの間の冷媒配管系または構成機器の（Ａ）ないし（Ｅ）のいずれかの位置から抽出することができる。以下にその実施例（Ａ）ないし（Ｅ）を図５ないし図８を参照して説明する。
【００４８】
実施例（Ａ）は、図５に示されるように、凝縮器４１の液溜め４１Ａから、凝縮器４１内において凝縮された高圧液冷媒を、その高圧圧力を利用して回転軸冷却機構３０の冷媒導入系路３１へと抽出するものである。
実施例（Ｂ）は、図５に示されるように、凝縮器４１の下流に設けられ、凝縮器４１において凝縮された液冷媒を更に冷却して過冷却を付与するサブクーラ４６から、過冷却された冷媒を、その高圧圧力を利用して回転軸冷却機構３０の冷媒導入系路３１へと抽出するものである。
【００４９】
実施例（Ｃ）は、図６に示されるように、いわゆるエコノマイザサイクルと称される中間冷却器方式のサイクルにおけるエコノマイザ（中間冷却器）４３Ａの出口から、中間冷却器４３Ａにおいて過冷却された冷媒を、その高圧圧力を利用して回転軸冷却機構３０の冷媒導入系路３１へと抽出するものである。なお、減圧弁４７を経て中間冷却器４３Ａにおいて蒸発された中間圧のガス冷媒は、冷媒系路４８を経てターボ圧縮機１の第１圧縮ステージ６と第２圧縮ステージ７との間に注入される。この実施例は、自己膨張により冷媒の組成が変化する混合冷媒（例えば、Ｒ４１０Ａ冷媒）を使用するターボ冷凍機４０おいて、所定の能力を発揮させる上で有効なものである。
【００５０】
実施例（Ｄ）は、図７に示されるように、いわゆるエコノマイザサイクルと称される気液分離器方式のサイクルにおけるエコノマイザ（気液分離器）４３Ｂの出口から、気液分離器４３Ｂにおいて過冷却された冷媒を、その中間圧圧力を利用して回転軸冷却機構３０の冷媒導入系路３１へと抽出するものである。なお、気液分離器４３Ｂにおいて分離された中間圧のガス冷媒は、冷媒系路４９を経てターボ圧縮機１の第１圧縮ステージ６と第２圧縮ステージ７との間に注入される。
【００５１】
実施例（Ｅ）は、図８に示されるように、蒸発器４５の液溜め４５Ａから、第２減圧弁４４により低圧状態に減圧された低圧低温の液冷媒を、ポンプ５０Ａ、もしくはターボ圧縮機１の吐出系路から抽出される高圧ガス冷媒（Ｒ１）または凝縮器４１から抽出される高圧ガス冷媒（Ｒ２）を駆動源とするエダクタ５０Ｂを介して回転軸冷却機構３０の冷媒導入系路３１へと抽出するものである。
【００５２】
次いで、上記ターボ圧縮機１およびターボ冷凍機４０の動作について説明する。
電動モータ３が駆動され、モータ軸３Ａが回転されると、その一端に設けられている歯車２１および歯車２１に噛み合う歯車２０により構成される増速機構２２により回転が増速され、回転軸１３が高速で回転される。回転軸１３が回転されると、第１段羽根車１４および第２段羽根車１５が回転され、圧縮動作が開始される。第１段羽根車１４および第２段羽根車１５の回転により吸い込み口５から可変ガイドベーン４を経てターボ圧縮機１に吸い込まれた冷媒ガスは、第１段圧縮ステージ６および第２段圧縮ステージ７を経て２段圧縮される。２段圧縮された高圧の冷媒ガスは、スクロール室１２より図示省略の吐出口を経て圧縮機外部へと吐き出される。この高圧冷媒ガスは、ターボ圧縮機１および凝縮器４１、第１減圧弁４２、エコノマイザ４３、第２減圧弁４４、および蒸発器４５等から構成されるターボ冷凍機４０の冷凍サイクル内を循環することにより、所要の冷凍効果が奏される。
【００５３】
この間、ターボ圧縮機１においては、図示省略の給油機構側から潤滑油給油ライン２３Ａ，２３Ｂを経て潤滑に必要な最小限量の潤滑油が軸受箱１６，１８に給油され、軸受箱１６，１８から図示省略のノズル孔を介して各転がり軸受１７，１９に給油される。これにより、各転がり軸受１７，１９が潤滑される。また、同様に、図示省略の給油機構側からオイルクーラにより冷却された冷却油が冷却油給油ライン２７Ａ，２７Ｂを介して各軸受箱１６，１８の外周部に設けられている油溝２５，２６に循環される。これにより、軸受箱１６，１８を介して転がり軸受１７，１９の外輪が冷却される。
【００５４】
一方において、ターボ冷凍機４０の冷凍サイクル内を循環する高圧液冷媒または低圧液冷媒の一部が、冷凍サイクル内の（Ａ）ないし（Ｅ）のいずれかの位置から抽出され、冷媒の圧力あるいはポンプまたはエゼクタを利用して回転軸冷却機構３０の冷媒導入系路３１へと導入される。回転軸冷却機構３０に導入された冷媒は、流量調整弁３２により流量が調整され、その開度に応じて減圧されながら、シール部材３５を経て回転軸１３に接続されているノズル３４へと供給される。この冷媒は、さらにノズル３４に設けられているオリフィス３３により低圧状態に減圧された後、回転軸１３の貫通孔２９（冷媒通路）内に流出される。
【００５５】
貫通孔２９内に導かれた冷媒は、貫通孔２９内を流通する間に高速回転する回転軸１３側から吸熱して蒸発され、回転軸１３を冷却する。これにより、回転軸１３を支持する転がり軸受１７，１９が回転軸１３を介して内輪側から冷却され、その発熱が抑制される。回転軸１３内で蒸発された冷媒は、回転軸１３の羽根車側端部に設けられる流出孔３６から周方向に均一に流出され、吸い込み口５から吸い込まれる冷媒ガスと合流して再び圧縮される。この際、冷媒吸い込み口５の流出孔３６付近における冷媒温度が温度センサ（Ｔｓｕｃ）３７により検出され、それが圧力飽和温度以上となるように流量調整弁３２が冷媒流量を制御する。これによって、流出孔３６から液冷媒が流出されて圧縮機に吸い込まれないようにされる。
【００５６】
上記のように、本実施形態のターボ圧縮機１は、冷凍サイクルの（Ａ）ないし（Ｅ）のいずれかの位置から抽出される高圧液冷媒または低圧液冷媒の一部を、回転軸１３に穿設されている貫通孔２９（冷媒通路）内で蒸発させ、その蒸発潜熱によって回転軸１３を冷却し、この回転軸１３を介して転がり軸受１７，１９を内輪側から冷却する回転軸冷却機構３０を備えている。そして、この冷媒を冷却媒体とする回転軸冷却機構３０を、軸受に冷却媒体を供給する軸受冷却機構に代替することができる。このため、潤滑油給油ライン２３Ａ，２３Ｂを介して転がり軸受１７，１９に給油する潤滑油の油量を潤滑に必要な最小限の油量に抑えることができる。
【００５７】
しかして、本実施形態によると、以下の作用効果を奏する。
回転軸を支える転がり軸受１７，１９を回転軸冷却機構３０により回転軸１３側から冷却することができるため、転がり軸受１７，１９に対する給油量を潤滑に必要な最小油量に抑えることができる。これにより、転がり軸受１７，１９における潤滑油の撹拌損失を低減することができる。また、転がり軸受１７，１９を、回転軸１３を介して内輪側から冷却するため、軸受内部での温度勾配を内輪側から外輪側に向って順次高くし、軸受内部の隙間を理想的に保つことができる。これにより、軸受の熱膨張による機械損失をも低減することができる。従って、ターボ圧縮機の更なる高速化、小型化を図り、コスト低減と小型高性能化を実現することができる。
【００５８】
また、冷媒を回転軸１３の貫通孔２９（冷媒通路）内で蒸発され、その蒸発潜熱で回転軸１３、さらには転がり軸受１７，１９を冷却するため、回転軸１３ならびに転がり軸受１７，１９を効率よく冷却することができる。従って、転がり軸受１７，１９が熱膨張することにより発生する機械損失を低減することができると同時に、転がり軸受１７，１９に対する給油量を潤滑に必要な最小限の潤滑油量に抑えることができる。
また、貫通孔２９（冷媒通路）を回転軸１３の一端側から他端側に貫通して設け、この貫通孔２９内に導入されて蒸発した冷媒を、そのまま回転軸１３の羽根車側端部から圧縮機１の冷媒吸い込み流路５に流出させるようにしているため、回転軸冷却機構３０およびその冷媒流通経路ならびに回転軸１３を簡素に構成することができる。
【００５９】
また、回転軸１３側に導かれた冷媒をノズル３４に設けられている固定オリフィス３３で減圧するため、冷媒を確実に低温低圧状態に減圧して貫通孔２９内に導入することができる。従って、貫通孔２９内で直ちに軸側から吸熱して冷媒を蒸発させ、回転軸１３を効率よく冷却し、その回転軸１３を介して転がり軸受１７，１９を内輪側から効率よく冷却することができる。
また、冷凍サイクルから抽出される冷媒を回転軸１３の貫通孔（冷媒通路）２９に導く冷媒導入系路３１に冷媒流量を調整する流量調整弁３２を設け、この流量調整弁３２によって、回転軸１３を冷却した冷媒が圧縮機１の冷媒吸い込み流路５に戻されて圧縮機１に吸い込まれる冷媒と合流する付近の冷媒温度が圧力飽和温度以上となるように冷媒流量を制御しているため、回転軸冷却機構３０側に液戻りが発生することのない適正量の冷媒を供給することができる。これにより、流出孔３６から冷媒吸い込み流路５に戻される冷媒による液圧縮を確実に防止することができる最大の回転軸冷却機構３０の冷却能力を可能とし、効率よく回転軸１３および転がり軸受１７，１９を冷却することができる。
【００６０】
また、回転軸１３の貫通孔（冷媒通路）２９の入口部分に、回転軸２９と共に回転する固定オリフィス３３を有するノズル３４が取り付けられ、その外周面をシール面とし、冷媒導入系路３１との間をラビリンスシールにより非接触シールするシール部材３５を設けているため、回転軸１３に対して余計な抵抗を加えることなく、静止側の冷媒導入系路３１と回転側のノズル３４との間をシールすることができる。従って、動力損失をもたらすことなく、冷媒を確実に回転軸１３の貫通孔（冷媒通路）２９内に導くことができる。
【００６１】
さらに、本実施形態では、転がり軸受１７，１９を設置する軸受箱１６，１８の外周に設けられる油溝２５，２６に冷却油給油ライン２７より冷却油を循環させる軸受箱冷却機構を設け、軸受箱１６，１８を介して転がり軸受１７，１９を外輪側からも冷却できるようにしている。このため、転がり軸受１７，１９の冷却効果を一段と高め、転がり軸受１７，１９への給油量を潤滑に必要な最小限の油量に維持することができるとともに、転がり軸受１７，１９における内外輪温度差を可及的に小さくすることができる。従って、転がり軸受１７，１９の機械損失を更に低減することができる。
【００６２】
また、冷凍サイクルの（Ａ）ないし（Ｅ）のいずれかの位置から、冷媒が持つ高圧または中間圧エネルギー、あるいはポンプまたはエダクタを利用して高圧液冷媒または低圧液冷媒の一部を抽出し、その冷媒を冷却媒体として回転軸１３および転がり軸受１７，１９を冷却することができる。従って、ターボ冷凍機自身の系内から取り出した冷媒を転がり軸受１７，１９の冷却に有効に活用することができる。
さらに、上記により高速化、小型化された高性能のターボ圧縮機１を用いて冷凍サイクルを構成することができるため、小型高性能でかつ低コストのターボ冷凍機４０を製造することができる。
【００６３】
［第２実施形態］
次に、本発明の第２実施形態について、図１、図２および図９を用いて説明する。
本実施形態は、上記した第１実施形態に対して、回転軸１３に穿設する孔（冷媒通路）５９の構成が異なっている。その他の点については第１実施形態と同様であるので、説明は省略する。第１実施形態では、貫通孔２９（冷媒通路）を回転軸１３の一端側から他端側に貫通して設けているが、本実施形態では、回転軸１３に穿設する孔（冷媒通路）５９をモータ側端部から第２段羽根車１５が設けられる手前側（図２に示すＩＩ位置）までとしている。そして、このＩＩ位置に、図９（Ａ），（Ｂ）に示されるように、複数個（図示例では、２または４個）の連通孔６０を放射方向に軸中心に対してバランスを取って穿設している。この連通孔６０は、ハウジング２内の排油空間２Ｃに開口される。
【００６４】
また、本実施形態において、冷媒導入系路３１に設けられる流量調整弁３２は、上記の制御条件を満たした上で、さらに転がり軸受１７，１９の外輪温度を図示省略の温度センサにより検出し、それが予め設定される基準温度以下となるように制御される。これによって、冷媒の最低流量が決められ、軸受の外輪温度を保障することができる。上記排油空間２Ｃは、均圧通路６１を介して圧縮機１の冷媒吸い込み流路５に連通され、低圧状態に維持されるようになっている。
【００６５】
本実施形態によると、ターボ冷凍機４０の冷凍サイクルから抽出された冷媒は、冷媒導入系路３１を介して回転軸１３の孔（冷媒通路）５９内に導入され、孔５９内で蒸発することにより回転軸１３および転がり軸受１７，１９を冷却する。孔５９内で蒸発された冷媒は、孔５９から連通孔６０を介してハウジング２の排油空間２Ｃ内に流出される。この冷媒ガスは、排油空間２Ｃ内で流速が低下されるため、液分が含まれていた場合にそれが分離され、ガス分のみが均圧通路６１を介して圧縮機１の冷媒吸い込み流路５に吸い込まれる。従って、本実施形態によると、第１実施形態と同様の効果が奏される他に、回転軸１３および転がり軸受１７，１９の冷却に供された冷媒が液戻りすることにより発生する液圧縮を確実に防止することができるという効果が奏される。
【００６６】
なお、本発明は、上記した実施形態にかかる発明に限定されるものではなく、その要旨を逸脱しない範囲において、適宜変形が可能である。例えば、上記実施形態では、２段ターボ圧縮機について説明したが、これに限らず、１段あるいは３段以上の多段ターボ圧縮機にも同様に適用することができる。また、上記実施形態では、軸受箱１６，１８の外周に設けられる油溝２５，２６に冷却油を供給して転がり軸受１７，１９の外輪側を冷却するようにしているが、この冷却媒体として、冷却油に代えて冷凍サイクルから抽出した冷媒を用いてもよい。更には、圧縮機の回転数に応じて発熱量および冷却に必要な冷媒量を算出し、流量調整弁３２を制御するようにしてもよく、この場合、低回転数領域では、冷媒の供給を停止するようにしてもよい。
【図面の簡単な説明】
【００６７】
【図１】本発明の第１実施形態にかかるターボ圧縮機の縦断面図である。
【図２】図１に示すターボ圧縮機における回転軸系のみを取り出した状態の側面図である。
【図３】図１に示すターボ圧縮機の吸い込み口付近の部分縦断面図である。
【図４】本発明の第１実施形態にかかるターボ圧縮機を用いたターボ冷凍機の冷凍サイクル図である。
【図５】図４に示す冷凍サイクルからの冷媒抽出の実施例（Ａ），（Ｂ）の詳細図である。
【図６】図４に示す冷凍サイクルからの冷媒抽出の実施例（Ｃ）の詳細図である。
【図７】図４に示す冷凍サイクルからの冷媒抽出の実施例（Ｄ）の詳細図である。
【図８】図４に示す冷凍サイクルからの冷媒抽出の実施例（Ｅ）の詳細図である。
【図９】本発明の第２実施形態にかかるターボ圧縮機における回転軸の異なる実施例（Ａ），（Ｂ）の縦断面図である。
【符号の説明】
【００６８】
１  ターボ圧縮機
２  ハウジング
２Ｃ  排油空間
３  電動モータ
１３  回転軸
１４  第１段羽根車
１５  第２段羽根車
１６，１８  軸受箱
１７，１９  転がり軸受
２５，２６  油溝
２７Ａ，２７Ｂ  冷却油給油ライン
２９  貫通孔（冷媒通路）
３０  回転軸冷却機構
３１  冷媒導入系路
３２  流量調整弁
３３  固定オリフィス
３５  シール部材
４０  ターボ冷凍機
４１  凝縮器
４１Ａ  液溜め
４３  エコノマイザ
４３Ａ  エコノマイザ（中間冷却器）
４３Ｂ  エコノマイザ（気液分離器）
４５  蒸発器
４５Ａ  液溜め
４６  サブクーラ
５０Ａ  ポンプ
５０Ｂ  エゼクタ
５９  孔（冷媒通路）
６０  連通孔
６１  均圧通路
【図１】
0004981557.tif 000002
【図２】
0004981557.tif 000003
【図３】
0004981557.tif 000004
【図４】
0004981557.tif 000005
【図５】
0004981557.tif 000006
【図６】
0004981557.tif 000007
【図７】
0004981557.tif 000008
【図８】
0004981557.tif 000009
【図９】
0004981557.tif 000010